(57)【要約】【課題】掻き取り部の液状化粧料の付着・滞留を防止し、塗布具が容器本体内から引き抜かれている間の液状化粧料の漏出を防止し、掻き取った液状化粧料を収容部へ容易に戻す。【解決手段】掻き取り部２１を、扱き部材２０の内周面から内側に張り出し傾斜する傾斜壁２２に、塗布具１１の通過を可能とする開口２３を設け、傾斜壁２２の開口周縁２４により、塗布具１１の通過の際に塗布具１１に付着した余分な液状化粧料Ｌを扱き掻き取る構成とすることで、掻き取り部２１に残った化粧料Ｌを傾斜壁２２を伝って流れ落とし、化粧料Ｌの付着・滞留を防止し、又、塗布具１１が容器本体１内から抜かれている間に、逆止弁２６が扱き部材２０の筒孔を閉とすることで、化粧料Ｌの漏出を防止し、又、逆止弁２６と傾斜壁２２との間の領域Ａに流れ落ちた化粧料Ｌを、蓋部２を頚部４に装着し逆止弁２６が扱き部材２０の筒孔を開とすることで、収容部３内に容易に戻す。【選択図】図２
2014033864.tif 000002
【特許請求の範囲】
【請求項１】
液状化粧料を収容する収容部及び当該収容部に繋がる開口頚部を備えた容器本体と、前記開口頚部に着脱自在に装着される蓋部と、前記開口頚部の内周側に装着された筒状の扱き部材と、前記蓋部に設けられ当該蓋部が前記容器本体の前記開口頚部に装着されたときに前記扱き部材の筒孔を通して前記容器本体の前記収容部内に進入する軸部及び当該軸部の先端に設けられ前記液状化粧料に浸漬する塗布体を備えた塗布具と、を具備した液状化粧料容器において、
前記扱き部材は、
前記塗布具に付着した余分な液状化粧料を扱き掻き取るための掻き取り部と、
前記掻き取り部より前記収容部側に設けられ、当該扱き部材の前記筒孔を開閉するための逆流防止弁と、を具備し、
前記掻き取り部は、
前記扱き部材の内周面から内側に張り出し、当該扱き部材の軸線に直交する面に対し斜めに傾斜する傾斜壁と、
この傾斜壁に設けられ前記塗布具の通過を可能とする開口と、を備え、
前記傾斜壁の開口周縁が、前記塗布具の通過の際に当該塗布具を扱き、
前記逆流防止弁は、前記塗布具の通過を可能とするように当該塗布具に接触しながら前記筒孔を開とし、前記塗布具が引き抜かれると前記筒孔を閉とすることを特徴とする液状化粧料容器。
【請求項２】
前記逆流防止弁は、前記筒孔を閉としたときに、前記扱き部材の内周面との間の一部に隙間を有することを特徴とする請求項１記載の液状化粧料容器。
【請求項３】
前記掻き取り部は、前記逆流防止弁の前記隙間に向かって下り傾斜とされていることを特徴とする請求項２記載の液状化粧料容器。
【請求項４】
前記掻き取り部の前記傾斜壁は、前記扱き部材の内周面との間の一部に隙間を有することを特徴とする請求項１〜３の何れか一項に記載の液状化粧料容器。
【請求項５】
前記傾斜壁の前記隙間は、当該傾斜壁の傾斜方向下側の周縁に設けられていることを特徴とする請求項４記載の液状化粧料容器。
【請求項６】
前記傾斜壁の前記隙間は、当該傾斜壁の傾斜方向上側の周縁に設けられていることを特徴とする請求項４記載の液状化粧料容器。
【請求項７】
前記逆流防止弁は、前記扱き部材の一部とヒンジ結合することにより、前記筒孔の開閉を可能とすることを特徴とする請求項１〜６の何れか一項に記載の液状化粧料容器。
【発明の詳細な説明】
【技術分野】
【０００１】
本発明は、液状化粧料を塗布するための液状化粧料容器に関する。
【背景技術】
【０００２】
従来、例えばマスカラ等の液状化粧料を収容する液状化粧料容器として、容器内外を連通する開口頚部の内周面に、筒状の扱き部材を装着し、開口頚部に着脱される蓋部を当該開口頚部から取り外し、蓋部に設けられ容器内に延出する塗布具（塗布体及び当該塗布体を先端に備える軸部）を容器内から引き抜く際に、扱き部材に設けられた掻き取り部の開口周縁で、塗布具に付着した余分な液状化粧料を扱き掻き取る液状化粧料容器が知られている。このような液状化粧料容器にあっては、塗布具が容器内から引き抜かれると、扱き部材の掻き取り部の開口を通して容器内外が連通したままの状態となり、液状化粧料が空気と接触して当該液状化粧料の変質や蒸発を招来し、また、例えば容器が倒れた場合等に容器内の液状化粧料が扱き部材の掻き取り部の開口を通して容器外に漏出してしまうという問題が生じる。
【０００３】
そこで、このような問題が生じないように、以下の特許文献１には、扱き栓（扱き部材）の下端で扱き体（掻き取り部）より下の位置に逆止弁を設け、軸及び塗布体（塗布具）が容器内から引き抜かれると、逆止弁が閉となり、容器内外の連通を遮断する技術が開示されている。また、以下の特許文献２には、払拭部材（扱き部材）の扱き部（掻き取り部）より下の位置に、多葉弁又は弁蓋を設け、塗布具が容器内から引き抜かれると、多葉弁又は弁蓋が閉となり、容器内外の連通を遮断する技術が開示されている。
【先行技術文献】
【特許文献】
【０００４】
【特許文献１】特開２００６−２８０６６９号公報
【特許文献２】実公平６−２６０７号公報
【発明の概要】
【発明が解決しようとする課題】
【０００５】
しかしながら、上記特許文献１、２にあっては、掻き取り部において塗布具から掻き取った液状化粧料が、掻き取り部を構成する開口の周辺や上下面にダマになって付着して滞留し、液状化粧料を収容する収容部内の液状化粧料の量が減ってしまうと共に、付着し滞留した液状化粧料の性状が変化し、この性状が変化した液状化粧料が塗布具の使用の際に当該塗布具に付いて塗布に供されるという問題がある。
【０００６】
そこで、本発明は、掻き取り部での液状化粧料の付着・滞留を防止でき、且つ、塗布具が容器内から引き抜かれている間に容器内から液状化粧料が漏出することを防止でき、加えて、掻き取り部で扱き掻き取った液状化粧料を収容部内に容易に返送できる液状化粧料容器を提供することを目的としている。
【課題を解決するための手段】
【０００７】
本発明による液状化粧料容器は、液状化粧料を収容する収容部及び当該収容部に繋がる開口頚部を備えた容器本体と、開口頚部に着脱自在に装着される蓋部と、開口頚部の内周側に装着された筒状の扱き部材と、蓋部に設けられ当該蓋部が容器本体の開口頚部に装着されたときに扱き部材の筒孔を通して容器本体の収容部内に進入する軸部及び当該軸部の先端に設けられ液状化粧料に浸漬する塗布体を備えた塗布具と、を具備した液状化粧料容器において、扱き部材は、塗布具に付着した余分な液状化粧料を扱き掻き取るための掻き取り部と、掻き取り部より収容部側に設けられ、当該扱き部材の筒孔を開閉するための逆流防止弁と、を具備し、掻き取り部は、扱き部材の内周面から内側に張り出し、当該扱き部材の軸線に直交する面に対し斜めに傾斜する傾斜壁と、この傾斜壁に設けられ塗布具の通過を可能とする開口と、を備え、傾斜壁の開口周縁が、塗布具の通過の際に当該塗布具を扱き、逆流防止弁は、塗布具の通過を可能とするように当該塗布具に接触しながら筒孔を開とし、塗布具が引き抜かれると筒孔を閉とすることを特徴としている。
【０００８】
このような液状化粧料容器によれば、扱き部材の掻き取り部は、扱き部材の内周面から内側に張り出し、当該扱き部材の軸線に直交する面に対し斜めに傾斜する傾斜壁に、塗布具の通過を可能とする開口を設け、この傾斜壁の開口周縁が、塗布具の通過の際に当該塗布具に付着した余分な液状化粧料を扱き掻き取る構成のため、掻き取り部に残った液状化粧料は、傾斜壁の傾斜に従い当該傾斜壁を伝って流れ落ちる。このため、掻き取り部での液状化粧料の付着・滞留を防止できる。また、このように塗布具が容器本体内から引き抜かれ使用者により塗布に供されると、扱き部材において掻き取り部より収容部側に設けられた逆流防止弁が扱き部材の筒孔を閉とするため、この間（塗布具が容器本体内から引き抜かれている間）に、容器本体内から液状化粧料が漏出（逆流）することを防止できる。そして、このように塗布具が容器本体内から引き抜かれている状態では、扱き部材の筒孔を閉としている逆流防止弁と傾斜壁との間の領域に、掻き取り部からの液状化粧料が流れ落ち、この状態で蓋部が開口頚部に装着されると、逆流防止弁は、塗布具が通過し得るように当該塗布具に接触しながら筒孔を開とするため、逆流防止弁と傾斜壁との間の領域の液状化粧料は収容部内に戻される。このため、掻き取り部で扱き掻き取った液状化粧料を収容部内に容易に返送できる。
【０００９】
ここで、逆流防止弁は、筒孔を閉としたときに、扱き部材の内周面との間の一部に隙間を有していると、傾斜壁を伝って逆流防止弁と傾斜壁との間の領域に流れ落ちた液状化粧料は、蓋部が開口頚部に装着されていなくても、閉じている逆流防止弁の隙間を通して戻され、収容部内に素早く且つ容易に返送できる。
【００１０】
また、掻き取り部は、逆流防止弁の隙間に向かって下り傾斜とされていると、掻き取り部の液状化粧料は、傾斜壁を伝い逆流防止弁の隙間に向かって流れ落ち、当該隙間を通して戻され、収容部内に一層素早く且つ容易に返送できる。
【００１１】
また、掻き取り部の傾斜壁は、扱き部材の内周面との間の一部に隙間を有していると、塗布具が開口を通過する際に、傾斜壁が変形しやすく、塗布具を扱きやすくなる。
【００１２】
また、傾斜壁の隙間は、当該傾斜壁の傾斜方向下側の周縁に設けられていると、傾斜壁上面の液状化粧料は、傾斜壁を伝い当該傾斜壁の傾斜方向下側の周縁に設けられている隙間を通して戻され、逆流防止弁と傾斜壁との間の領域に素早く且つ容易に返送できる。また、この場合は、上記逆流防止弁の隙間が、傾斜壁の隙間と軸線方向に並んでいる（対向している）のが好ましい。このような構成を採用した場合、傾斜壁上面の液状化粧料は、傾斜壁の隙間、逆流防止弁の隙間を通して戻され、収容部内に一層素早く且つ容易に返送できる。
【００１３】
また、傾斜壁の隙間は、当該傾斜壁の傾斜方向上側の周縁に設けられていると、逆流防止弁と傾斜壁との間の領域の液状化粧料は、隙間が傾斜壁の傾斜方向下側の周縁に設けられている場合に比して、流れ出る流路が長くなり容器本体外へ漏出し難くなる。また、この場合は、上記逆流防止弁の隙間が、軸線方向視において傾斜壁の隙間と軸線周りに１８０°離れた位置に位置している（対向していない）のが好ましい。このような構成を採用した場合、収容部内の液状化粧料の流れ出る流路が曲がりくねって一層長くなり容器本体外へ一層漏出し難くなる。
【００１４】
ここで、上記開閉作用を効果的に奏する逆流防止弁の構成としては、具体的には、扱き部材の一部とヒンジ結合することにより、筒孔の開閉を可能とする構成が挙げられる。これにより、逆流防止弁を簡易に構成できる。
【発明の効果】
【００１５】
このように本発明によれば、掻き取り部での液状化粧料の付着・滞留を防止でき、且つ、塗布具が容器本体内から引き抜かれている間に容器本体内から液状化粧料が漏出することを防止でき、加えて、掻き取り部で扱き掻き取った液状化粧料を収容部内に容易に返送できる。
【図面の簡単な説明】
【００１６】
【図１】本発明の第１実施形態に係る液状化粧料容器を示す縦断面図である。
【図２】図１の液状化粧料容器にあって塗布具が掻き取り部の開口を通過する状態を示す縦断面図である。
【図３】図１の液状化粧料容器にあって塗布具が容器本体内から引き抜かれているときの容器本体を示す縦断面図である。
【図４】図１〜図３中の扱き部材を示す斜視図である。
【図５】図１〜図３中の扱き部材を示す正面図である。
【図６】図５に示す扱き部材の平面図である。
【図７】図５に示す扱き部材の下面図である。
【図８】図６のVIII-VIII矢視図である。
【図９】図８のIX-IX矢視図である。
【図１０】図６のX-X矢視図である。
【図１１】本発明の第２実施形態に係る液状化粧料容器の扱き部材を示す斜視図である。
【図１２】図１１に示す扱き部材の下面図である。
【図１３】図１１に示す扱き部材の縦断面図であり、図８に対応する図である。
【図１４】本発明の第３実施形態に係る液状化粧料容器の扱き部材を示す平面図である。
【図１５】図１４のXV-XV矢視図である。
【図１６】本発明の第４実施形態に係る液状化粧料容器の扱き部材を示す平面図である。
【図１７】図１６のXVII-XVII矢視図である。
【図１８】本発明の第５実施形態に係る液状化粧料容器の扱き部材を示す平面図である。
【発明を実施するための形態】
【００１７】
以下、添付図面を参照しながら、本発明の実施形態について詳細に説明する。なお、同一又は相当要素には同一符号を付し重複する説明は省略する。
【００１８】
図１〜図１０は、本発明の第１実施形態を、図１１〜図１３は、本発明の第２実施形態を、図１４及び図１５は、本発明の第３実施形態を、図１６及び図１７は、本発明の第４実施形態を、図１８は、本発明の第５実施形態を各々示すものであり、先ず、図１〜図１０に示す第１実施形態を説明する。
【００１９】
図１は、第１実施形態に係る液状化粧料容器を示す縦断面図、図２は、塗布具が掻き取り部の開口を通過する状態を示す縦断面図、図３は、塗布具が容器本体内から引き抜かれているときの容器本体を示す縦断面図、図４〜図１０は、扱き部材を示す各図であり、図１に示すように、本実施形態の液状化粧料容器１００は、使用者により液状化粧料Lを被塗布部である顔等に塗布するときに用いられるものである。液状化粧料Ｌは、ここでは、特に好適であるとして、リップグロスとされているが、例えばマスカラやネイルオイル等の他の液状化粧料であっても勿論良く、種々の液状化粧料を採用できる。
【００２０】
液状化粧料容器１００は、液状化粧料Ｌを収容する容器本体１と、この容器本体１に着脱自在に装着された塗布具付きキャップである蓋部２と、を概略具備している。
【００２１】
容器本体１は、ここでは、硬い樹脂製又は金属製とされ、液状化粧料Ｌを収容するための収容部３と、この収容部３の上部に一体に連設され当該収容部３に繋がる開口頚部４と、を備える。収容部３は、有底円筒状に構成されその内部に液状化粧料Ｌを収容し、開口頚部４は、収容部３より小径の円筒状に構成されて同軸に配置されると共に、収容部３の上端部の縮径する段差部（所謂肩部）１２を介して繋がり、その筒内が収容部３内に連通する構成とされている。
【００２２】
開口頚部４には、その外周面に、蓋部２を着脱自在に螺合するための雄螺子５が形成されている。また、開口頚部４には、蓋部２の後述する塗布具１１に付着している余分な液状化粧料Ｌを扱き掻き取るための円筒状の扱き部材２０（詳しくは後述）が圧入により装着されている。
【００２３】
蓋部２は、有底円筒状に構成され、その開口端側の内周面に、開口頚部４の外周面の雄螺子５に螺合する雌螺子７を備えている。そして、蓋部２は、その雌螺子７を雄螺子５に螺合することで、容器本体１に対して着脱自在に装着される。
【００２４】
この蓋部２には、塗布具１１が設けられている。この塗布具１１は、蓋部２内から容器本体１の収容部３側（図示下方）に突出する軸部９と、この軸部９の先端に設けられた塗布体１０と、を備えている。
【００２５】
軸部９は、蓋部２より小径の円柱体を成し、扱き部材２０の筒孔を通過可能とされている。
【００２６】
塗布体１０は、ここでは、リップグロス用のチップとされている。なお、液状化粧料Ｌをマスカラとした場合には、塗布体１０としてマスカラブラシ等を用いることができ、また、液状化粧料Ｌをネイルオイルとした場合には、塗布体１０としてチップを用いることができ、さらに、液状化粧料Ｌに応じて、塗布体として、例えば、筆穂、ブラシ、刷毛、コーム等の種々のアプリケータを用いることができる。
【００２７】
そして、蓋部２が容器本体１の開口頚部４に螺子５，７の螺合により装着されると（蓋部２が締められると）、軸部９は、扱き部材２０の筒孔を通して容器本体１の収容部３内に進入し、塗布体１０は、収容部３に貯留されている液状化粧料Ｌに浸漬する構成とされている。
【００２８】
扱き部材２０は、弾性材より成る一体成形品であり、例えば、ＴＰＵ、ＴＰＥ、ゴム材、軟質ＰＰ、軟質ＰＥ、シリコンゴム、軟質エラストマー等から成形される。この扱き部材２０は、好ましくは一体成形品であるが、二体成形品であっても良い。そして、扱き部材２０は、略円筒状を呈し、その上端に円環状の鍔部１９を有する。
【００２９】
鍔部１９は、その下端面が開口頚部４の上端面に当接することで、扱き部材２０のそれ以上下方への移動を阻止する。この鍔部１９上には、蓋部２が容器本体１の開口頚部４に装着されたときに、蓋部２の内側の面１８と密着する気密用の環状突起１５が設けられている（図５、図８〜図１０参照）。
【００３０】
また、扱き部材２０は、その下部側の外周面に円環状の段差部１３を有する（図５、図８〜図１０参照）。この段差部１３は、開口頚部４の内周面より拡径して容器本体１の収容部３内に位置し容器本体１の段差部１２の内面１６に対して軸線方向に係合し（対面し）、これにより、扱き部材２０のそれ以上上方への移動を阻止する抜け止めとして機能する。
【００３１】
斯くの如く、扱き部材２０は、その上部側の鍔部１９と下部側の段差部１３とにより、開口頚部４を上下から挟む構成とされている。
【００３２】
ここで、特に本実施形態の扱き部材２０は、図１及び図４〜図１０に示すように、筒孔内で底部寄りの下部に掻き取り部２１を備えると共に、底部に逆流防止弁２６を備える。
【００３３】
掻き取り部２１は、扱き部材２０の内周面から内側に張り出し、当該扱き部材２０の軸線に直交する面に対し斜めに傾斜する傾斜壁２２と、この傾斜壁２２に設けられ塗布具１１の通過を可能とする開口２３と、を有する構成とされている。
【００３４】
開口２３は、平面視（軸線方向視）において円形を成し軸線方向に貫通する孔２３ａと、この孔２３ａの周面で周方向に９０°離間した位置からそれぞれ外方に向かって直線状に延び軸線方向に貫通する４本のスリット２３ｂと、により構成される（図６及び図８〜図１０参照）。そして、傾斜壁２２の開口周縁２４が、塗布具１１の通過の際に当該塗布具１１を扱くように機能する。
【００３５】
逆流防止弁２６は、扱き部材２０の筒孔を開閉するためのもので、円板状に形成され、扱き部材２０の一部とヒンジ２９により結合されている（図４、図７及び図８参照）。このヒンジ２９は、下面視において１／４円程度の円弧状を成し、傾斜壁２２の傾斜方向上側の位置に対向する位置に設けられている。そして、逆流防止弁２６は、ヒンジ２９が有する弾発力により当該ヒンジ２９を支点として、扱き部材２０の筒孔を底側から蓋し塞ぐように構成される。なお、ヒンジ２９を肉厚とすることで弾発力をより強くし、扱き部材２０の筒孔を閉とするのが好ましい。
【００３６】
このように逆流防止弁２６は、扱き部材２０の一部とヒンジ結合することにより構成されているため、簡易に構成できる。
【００３７】
そして、逆流防止弁２６は、ヒンジ２９を支点として、塗布具１１の通過を可能とするように当該塗布具１１に接触しながら扱き部材２０の筒孔を開とし、塗布具１１が引き抜かれるとヒンジ２９の弾発力により扱き部材２０の筒孔を閉とするように機能する。
【００３８】
次に、上記液状化粧料容器１００を使用する場合について説明する。
【００３９】
先ず、使用者は、図１に示す状態から、蓋部２を回し螺子５，７の螺合を解除しながら引き上げ、当該蓋部２を容器本体１から取り外す。
【００４０】
このとき、図２に示すように、扱き部材２０の掻き取り部２１の開口２３を蓋部２の塗布具１１が通過し（図６参照）、弾性材より成る傾斜壁２２の開口周縁２４が捲り上げられながら当該開口周縁２４により、塗布具１１の特に塗布体１０に付着した余分な液状化粧料Ｌが扱き掻き取られる。
【００４１】
この状態で、掻き取り部２１に残った液状化粧料Ｌは、傾斜壁２２の傾斜に従い当該傾斜壁２２を伝って流れ落ち、掻き取り部２１での液状化粧料Ｌの付着・滞留を防止できる。
【００４２】
このようにして、使用者により塗布具１１が容器本体１内から引き抜かれ塗布に供されている間にあっては、図３に示すように、逆流防止弁２６がヒンジ２９の弾発力により扱き部材２０の筒孔を閉とするように閉じるため（逆流防止弁２６が閉じるため）、容器本体１内から液状化粧料Ｌが漏出することを防止できる。特に、塗布具１１が容器本体１内から引き抜かれている間において容器本体１が倒れても、上述のように、逆流防止弁２６により液状化粧料Ｌの漏出を防止できるため、このような場合に効果的である。
【００４３】
また、このように塗布具１１が容器本体１内から引き抜かれている状態では、扱き部材２０の筒孔を閉としている逆流防止弁２６と傾斜壁２２との間の領域Ａに、掻き取り部２１（傾斜壁２２）からの液状化粧料Ｌが流れ落ちる。
【００４４】
そして、使用者が、塗布体１０に付着した液状化粧料Ｌの塗布を終え、蓋部２を取り出し時とは逆方向に回し螺子５，７を螺合させながら当該蓋部２が開口頚部４に装着されると、図１に示すように、逆流防止弁２６は、塗布具１１が通過し得るように当該塗布具１１に接触しながら筒孔を開とするため、逆流防止弁２６と傾斜壁２２との間の領域Ａの液状化粧料Ｌは収容部３内に戻され、従って、掻き取り部２１で扱き掻き取った液状化粧料Ｌを収容部３内に容易に返送できる。
【００４５】
このように、本実施形態の液状化粧料容器１００によれば、掻き取り部２１での液状化粧料Ｌの付着・滞留を防止でき、且つ、塗布具１１が容器本体１内から引き抜かれている間に容器本体１内から液状化粧料Ｌが漏出することを防止でき、加えて、掻き取り部２１で扱き掻き取った液状化粧料Ｌを収容部３内に容易に返送できる。
【００４６】
図１１は、本発明の第２実施形態に係る液状化粧料容器の扱き部材を示す斜視図、図１２は、図１１に示す扱き部材の下面図、図１３は、図１１に示す扱き部材の縦断面図であり、図８に対応する図である。
【００４７】
この第２実施形態の扱き部材３０が第１実施形態の扱き部材２０と違う点は、第１実施形態の逆流防止弁２６を、扱き部材の内周面との間の一部に隙間３７を有する逆流防止弁３６に代えた点である。
【００４８】
隙間３７は、ヒンジ２９を除く部分に設けられ、逆流防止弁３６が扱き部材３０の筒孔を閉としているときに（逆流防止弁３６が閉じているときに）、下面視において３／４円程度の円弧状の隙間を成すように設けられている。
【００４９】
このような第２実施形態によれば、逆流防止弁３６は、扱き部材３０の筒孔を閉としたときに、扱き部材３０の内周面との間の一部に隙間３７を有しているため、傾斜壁２２を伝って逆流防止弁３６と傾斜壁２２との間の領域Ａに流れ落ちた液状化粧料Ｌは、蓋部２が開口頚部４に装着されていなくても、閉じている逆流防止弁３６の隙間３７を通して戻され、収容部３内に素早く且つ容易に返送できる。
【００５０】
また、掻き取り部２１（傾斜壁２２）は、隙間３７に向かって下り傾斜とされているため、掻き取り部２１の液状化粧料Ｌは、傾斜壁２２を伝い逆流防止弁３６の隙間３７に向かって流れ落ち、当該隙間３７を通して戻され、収容部３内に一層素早く且つ容易に返送できる。
【００５１】
図１４は、本発明の第３実施形態に係る液状化粧料容器の扱き部材を示す平面図、図１５は、図１４のXV-XV矢視図である。
【００５２】
この第３実施形態の扱き部材４０が第２実施形態の扱き部材３０と違う点は、第２実施形態の傾斜壁２２を、扱き部材の内周面との間の一部に隙間２５を有する傾斜壁３２に代えた点である。そして、この傾斜壁３２及び隙間２５、上記開口２３により掻き取り部３１が構成されている。
【００５３】
隙間２５は、傾斜壁３２の傾斜方向下側の周縁に設けられ、平面視において１／４円程度の円弧状の隙間を成すように設けられている。
【００５４】
このような第３実施形態によれば、傾斜壁３２は、扱き部材４０の内周面との間の一部に隙間２５を有しているため、塗布具１１が掻き取り部３１の開口２３を通過する際に、傾斜壁３２（掻き取り部３１）が変形しやすく、塗布具１１を扱きやすくなっている。
【００５５】
また、傾斜壁３２の隙間２５は、当該傾斜壁３２の傾斜方向下側の周縁に設けられているため、傾斜壁３２上面の液状化粧料Ｌは、傾斜壁３２を伝い当該傾斜壁３２の傾斜方向下側の隙間２５を通して戻され、逆流防止弁３６と傾斜壁３２との間の領域Ａに素早く且つ容易に返送できる。また、逆流防止弁３６の隙間３７が、傾斜壁３２の隙間２５と軸線方向に並んでいるため（対向しているため）、傾斜壁３２上面の液状化粧料Ｌは、傾斜壁３２の隙間２５、逆流防止弁３６の隙間３７を通して戻され、収容部３内に一層素早く且つ容易に返送できる。
【００５６】
図１６は、本発明の第４実施形態に係る液状化粧料容器の扱き部材を示す平面図、図１７は、図１６のXVII-XVII矢視図である。
【００５７】
この第４実施形態の扱き部材５０が第３実施形態の扱き部材４０と違う点は、第３実施形態の傾斜壁３２を、傾斜方向上側の周縁のみに隙間３５を有する傾斜壁４２に代えた点である。そして、この傾斜壁４２及び隙間３５、上記開口２３により掻き取り部４１が構成されている。
【００５８】
このような第４実施形態によれば、傾斜壁４２は、扱き部材４０の内周面との間の一部に隙間３５を有しているため、塗布具１１が掻き取り部４１の開口２３を通過する際に、第３実施形態と同様に、傾斜壁４２（掻き取り部４１）が変形しやすく、塗布具１１を扱きやすくなっているという作用・効果に加えて、傾斜壁４２の隙間３５は、当該傾斜壁４２の傾斜方向上側の周縁に設けられているため、逆流防止弁３６と傾斜壁４２との間の領域Ａの液状化粧料Ｌは、隙間２５が傾斜壁３２の傾斜方向下側の周縁に設けられている第３実施形態に比して、流れ出る流路が長くなり容器本体１外へ漏出し難くできる。また、この場合は、逆流防止弁３６の隙間３７が、軸線方向視において傾斜壁４２の隙間３５と軸線周りに１８０°離れた位置に位置しているため（対向していないため）、収容部３内の液状化粧料Ｌの流れ出る流路がステップ状に曲がりくねって一層長くなり容器本体１外へ一層漏出し難くできる。
【００５９】
なお、第３、第４実施形態においては、逆流防止弁３６を、扱き部材の内周面との間の一部に隙間３７を有する逆流防止弁３６としているが、第１実施形態で説明した隙間を有しない逆流防止弁２６であっても良い。
【００６０】
図１８は、本発明の第５実施形態に係る液状化粧料容器の扱き部材を示す平面図である。
【００６１】
この第５実施形態の扱き部材６０が第１、第２実施形態の扱き部材２０，３０と違う点は、開口２３に代えて、平面視において十字状を成し軸線方向に貫通するスリットのみから成る開口３３を用いた点である。
【００６２】
このような開口３３を用いても、その開口周縁３４により、塗布具１１の通過の際に、塗布具１１に付着した余分な液状化粧料Ｌを扱き掻き取ることができる。なお、開口３３は、第３、第４実施形態の扱き部材４０，５０に対しても勿論適用可能である。
【００６３】
以上、本発明をその実施形態に基づき具体的に説明したが、本発明は上記実施形態に限定されるものではなく、例えば、上記実施形態においては、好ましいとして、容器本体１を硬い樹脂製又は金属製としているが、容器本体１の収容部３を変形可能な弾性体としスクイーズ性を有するものとしても良い。このような液状化粧料容器では、塗布具を収容部内から引き抜いた状態で、スクイーズ性を有する収容部を使用者が手で持って押してしまうと、当該収容部内の液状化粧料が押圧され扱き部材の筒孔を通して容器外に漏出してしまうため、上記実施形態の構成を採用し漏出を防止するのが特に有効である。
【符号の説明】
【００６４】
１…容器本体、２…蓋部、３…収容部、４…開口頚部、９…軸部、１０…塗布体、１１…塗布具、２０，３０，４０，５０，６０…扱き部材、２１，３１，４１…掻き取り部、２２、３２，４２…傾斜壁、２３，３３…開口、２４，３４…開口周縁、２５，３５…傾斜壁の隙間、２６，３６…逆流防止弁、３７…逆流防止弁の隙間、２９…ヒンジ、１００…液状化粧料容器、Ａ…逆流防止弁と傾斜壁との間の領域、Ｌ…液状化粧料。
【図１】
2014033864.tif 000003
【図２】
2014033864.tif 000004
【図３】
2014033864.tif 000005
【図４】
2014033864.tif 000006
【図５】
2014033864.tif 000007
【図６】
2014033864.tif 000008
【図７】
2014033864.tif 000009
【図８】
2014033864.tif 000010
【図９】
2014033864.tif 000011
【図１０】
2014033864.tif 000012
【図１１】
2014033864.tif 000013
【図１２】
2014033864.tif 000014
【図１３】
2014033864.tif 000015
【図１４】
2014033864.tif 000016
【図１５】
2014033864.tif 000017
【図１６】
2014033864.tif 000018
【図１７】
2014033864.tif 000019
【図１８】
2014033864.tif 000020